(57)【要約】本発明は、ビデオデータストリームにおける基準フレームデータ領域の適当な局所的性質を決定し、次いで、基準フレームデータ領域の決定された適当な局所的性質に従って基準フレームデータ領域に適切な補間を適用することにより、入力されたデジタルビデオデータストリームを復号化するために動き補償を利用する何れかの方法を実際に実行し且つその恩恵を受けることができる。本発明は又、ビデオデータストリームにおける基準フレームデータ領域の適当な局所的性質を決定し且つ次に基準フレームデータ領域の決定された適当な局所的性質に従って基準フレームデータ領域に適切な補間を適用するように適応される動き補償予測器を提供することにより、入力されたデジタルビデオデータストリームを復号化するために動き補償を利用する何れかの復号化システムを実際に実行し且つそれから恩恵を受けることができる。
2004527959.tif 000002
【特許請求の範囲】
【請求項１】
ビデオデータストリームにおける動き補償のために適切な補間を適用するための方法であって：
ビデオデータストリームにおける基準フレームデータ領域の適当な局所的性質を決定する段階；並びに
基準フレームデータ領域の決定された適当な局所的性質に従って基準フレームデータ領域に適切な補間を適用する段階；
から構成される方法。
【請求項２】
請求項１に記載の方法であって、前記方法はビデオデータストリームにおける減小解像度動き補償のために適切な補間を適用するための方法である、ことを特徴とする方法。
【請求項３】
ビデオデータストリームにおいて動き補償のために適切な補間を適用するためのシステムであって、前記システムは動きベクトルにより基準フレームデータ領域を検索するために動き補償予測器から構成され、並びに、動き補償予測器はビデオデータストリームにおける基準フレームデータ領域の適当な局所的性質を決定し且つ基準フレームデータ領域の決定された適当な局所的性質に従って基準フレームデータ領域に適切な補間を適用することを特徴とするシステム。
【請求項４】
請求項３に記載のシステムであって、動き補償予測器はビデオデータストリームにおける基準フレームデータ領域の適当な局所的性質を決定することを試みるために動きベクトルの垂直成分を利用するように適応される、ことを特徴とするシステム。
【請求項５】
請求項３に記載のシステムであって、動き補償予測器はフィールド動き補償又はフレーム動き補償を用いてビデオデータストリームを符号化するかどうかを決定するためにビデオデータストリームを評価するように適応される、ことを特徴とするシステム。
【請求項６】
請求項５に記載のシステムであって、動き補償予測器は、フィールド動き補償又はフレーム動き補償を用いてビデオデータストリームを符号化する場合、ビデオデータストリームにフィールドベースの補間を適用するように適応される、ことを特徴とするシステム。
【請求項７】
請求項５に記載のシステムであって、フレーム動き補償を用いてビデオデータストリームが符号化されたかどうか及び画素位置からはじまる基準フレームデータ領域を取り出すことを動き補償予測器のために符号化が決定したかどうかを動き補償予測器が決定し、基準フレームデータ領域の適当な局所的性質が静領域から構成されることを動き補償予測器が確実に決定できず、並びに動き補償予測器が基準フレームデータ領域にフレームベースの補間を適用する、ことを特徴とするシステム。
【請求項８】
請求項５に記載のシステムであって、フレーム動き補償を用いてビデオデータストリームが符号化されたこと並びに非画素位置からはじまる基準フレームデータ領域を取り出すことを動き補償予測器のために符号化が決定したことを動き補償予測器が決定し、ビデオデータストリームにおける基準フレームデータ領域の適当な局所的性質が静領域から適当に構成されることを動き補償予測器が決定し、並びに動き補償予測器が基準フレームデータ領域にフレームベースの補間を適用する、ことを特徴とするシステム。
【請求項９】
請求項５に記載のシステムであって、フレーム動き補償を用いてビデオデータストリームが符号化されたこと並びに画素位置からはじまる基準フレームデータ領域を取り出すことを動き補償予測器のために符号化が決定したことを動き補償予測器が決定し、基準フレームデータ領域の適当な局所的性質が静領域から構成されることを動き補償予測器が確実に決定できず、並びに動き補償予測器が基準フレームデータ領域にフィールドベースの補間を適用する、ことを特徴とするシステム。
【請求項１０】
請求項３に記載のシステムであって、ビデオデータストリームにおける基準フレームデータ領域の局所的性質が静領域から構成されることを動き補償予測気が決定し、並びに動き補償予測器が基準フレームデータ領域にフレームベースの補間を適用する、ことを特徴とするシステム。
【請求項１１】
請求項３に記載のシステムであって、基準フレームデータ領域の局所的性質が静領域から構成されることを動き補償予測器が確実に決定することができず、並びに動き補償予測器が基準フレームデータ領域にフィールドベースの補間を適用する、ことを特徴とするシステム。
【請求項１２】
請求項３に記載のシステムであって、動き補償予測器はビデオデータストリームにおける基準フレームデータ領域の適当な局所的性質を動的でリアルタイムに決定するように適応される、ことを特徴とするシステム。
【請求項１３】
請求項３に記載のシステムであって、動き補償予測器は基準フレームデータ領域の決定された適当な局所的性質に従って基準フレームデータ領域に適切な補間を動的でリアルタイムに適用するように適応される、ことを特徴とするシステム。
【請求項１４】
請求項３に記載のシステムであって、前記システムはビデオデータストリームに減小解像度動き補償のための適切な補間を適用するためのものであり、動き補償予測器はスケールダウンされた動きベクトルにより現象解像度基準フレームデータ領域を検索するための動的動き補償予測器から構成され、動的動き補償予測器は、ビデオデータストリームにおける減小解像度基準フレームデータ領域の適当な局所的性質を決定し且つ減小解像度基準フレームデータ領域の決定された適当な局所的性質に従って減小解像度基準フレームデータ領域に適切な補間を適用するように、動的でリアルタイムに適応される、ことを特徴とするシステム。
【請求項１５】
請求項１４に記載のシステムであって、前記システムはＭＰＥＧ復号化システムから構成される、ことを特徴とするシステム。
【請求項１６】
請求項１５に記載のＭＰＥＧ復号化システムであって：
減小解像度基準フレームの生成において減小解像度基準フレームデータ領域と共に用いるために画素値の減小解像度ブロックを提供するための逆離散コサイン変換装置；
から更に構成される、ことを特徴とするＭＰＥＧ復号化システム。
【請求項１７】
請求項１５に記載のＭＰＥＧ復号化システムであって：
動的動き補償予測器に接続されたメモリ装置であって、減小解像度基準フレームを記憶するためのメモリ装置；
から更に構成される、ことを特徴とするＭＰＥＧ復号化システム。
【請求項１８】
請求項１５に記載のＭＰＥＧ復号化システムであって：
動的動き補償予測器に接続されたダウンスケーリング装置であって、減小解像度基準フレームからの減小解像度規準フレームデータ領域の検索において動的動き補償予測器により用いられるスケールダウンされた動きベクトルを提供するためのダウンスケーリング装置；
から更に構成される、ことを特徴とするＭＰＥＧ復号化システム。
【請求項１９】
請求項１５に記載のＭＰＥＧ復号化システムであって：
動的動き補償予測器に接続された加算器であって、減小解像度基準フレームを生成するための加算器；
から更に構成される、ことを特徴とするＭＰＥＧ復号化システム。
【発明の詳細な説明】
【技術分野】
【０００１】
本発明は動き補償のための補間システム及び方法に関する。
【背景技術】
【０００２】
デジタルビデオデータストリームは、応用によっては、受信に際して有するより低い解像度で表示されることが必要である。例えば、米国ではハイビジョンテレビ（ＨＤＴＶ）がデジタルテレビ放送の標準になっており、高解像度（ＨＤ）の容量であるが標準解像度（ＳＤ）フォーマットの出力である低コストの復号化システムに対する要求が存在する。標準的ＭＰＥＧ−２復号化システムにおいては、例えば、メモリの３つのフレームが入力ストリームの復号化で用いるために必要とされ、１つは後方参照のために、１つは前方参照のために、そして第３の１つは現フレームのためのものである。しかしながら、フレームのメモリサイズは入力解像度に適合され、即ち、入力がＨＤである場合、ＨＤサイズのメモリの３つのフレームが入力ストリームを復号化するために必要とされる。
【０００３】
出力の解像度を減小させるために、そのような標準的ＭＰＥＧ−２復号化システムに外付けのスケーラを付加することができる。しかしながら、そのようなシステムのためのコストは、ＨＤ解像度のフレームメモリ、ＨＤ解像度の復号化の複雑さ及びダウンスケーリングのための空間（画素）ドメインフィルタリングにより支配される。又、そのような標準的ＭＰＥＧ−２復号化システムにおいて、記憶の直前に基準フレームをダウンスケーリングすることにより、出力解像度にメモリに対する要求を適合させることによりメモリを節約することができる（ＳＤ解像度のフレームメモリが提供されることが可能である）。しかしながら、復号化ループはいまだに最大（入力）解像度において機能しているため、このアプローチにおける演算の複雑さに関しては節約することができない。更に、アップスケーリングが動き補償の前に付加されなければならず、これにより演算の複雑さが更に増加する。減小解像度においても、即ちアップスケーリングが必要でない場合においても、動き補償が機能することができるように、ダウンスケーリングは復号化経路において更に前方に移動されることが可能である。動きベクトルは、この場合、減小解像度動き補償のためにスケールダウンされる必要がある。動きベクトルがスケールダウンされるとき、それらの精度は向上する。例えば、ダウンスケーリング係数が２である場合、スケーリング後の動きベクトルは、大きさにおいて半分であるが、精度においては２倍となる（１／２ｐｅｌから１／４ｐｅｌへ）。
【０００４】
このような動きベクトルの精度の向上は、多くの場合（即ち、動きベクトルが非整数のとき）に補間が必要とされるようにする。しかしながら、減小解像度基準フレームにおける補間は、フレームがインターレースされたときに問題を起こすこととなる。ＭＰＥＧ−２は、例えば、図１に示すように、インターレースされたデジタルビデオのためのフレーム動き補償とフィールド動き補償の両方をサポートする。図１を参照するに、ＩＭＣにより指定されたフィールド動き補償においては、データは離れたトップフィールド（ＴＦ）及びボトムフィールド（ＢＦ）内で取り出され、次いで、マクロブロックを構成するためにインターレースされる。フィールド動き補償が用いられる場合、フィールド内で補間することは簡単である。しかしながら、ＦＭＣにより指定されたフレーム動き補償においては、データはマクロブロックを構成するためにトップフィールド及びボトムフィールドの混合から構成されたフレームから取り出される。しかしながら、局所的には、フレームから取り出されるべきデータ領域は、静／プログレッシブか又は動／インターレースかのどちらかとすることが可能である。一般に、フレーム動き補償は、プログレッシブデータ領域において用いられ、フレームベースの補間が適用されるが、フレーム動き補償は必ずしもそうとは限らない。現マクロブロックを評価するための最適方法であると信じるためのよい理由を符号化プロセスが有する限り、フレーム動き補償はインターレースされたデータ領域において用いられることが可能である。このような場合、フレームベースの補間は、間違ったフィールドを取り出す問題を生じることとなり、それ故、補間はフレーム動き補償についてフィールドベースにおいてなされる。
【０００５】
残念ながら、フレーム動き補償が用いられるときはいつでも、取り出されるべきデータ領域がプログレッシブデータ又はインテーレースされたデータを含むかどうかを、標準的な復号化システムは局所的に決定することができない。更に、垂直の高周波数を検出する方法は存在するが、空間ドメインにおいてそのような検出を行うことは演算に関しては小さいことではなく、垂直の高周波数の存在は、インターレースを示すための十分条件でもなく必要条件でもない。即ち、垂直の高周波数は静領域にも同様に存在するため、全ての垂直の高周波数がインターレースから得られるとは限らない。
【０００６】
このように、フレーム動き補償が用いられるときはいつでも、既存の復号化システム及び方法はオフラインで１つの補間（フィールドベース又はフレームベース）モードのみを選択し、全体的なピクチャに盲目的にそれを適用する。しかしながら、両方の補間モードは、盲目的に適用されるとき、問題を引き起こすこととなる。具体的には、フレームベースの補間が適用される場合、補間された動領域において間違ったフィールドを取り出す問題に陥るリスクを負っている（視覚上の影響はブロックアーチファクトである）。他方、フィールドベースの補間は、プログレッシブな静領域において、ぼやけ及びエイリアシングの問題に直面する。
【発明の開示】
【課題を解決するための手段】
【０００７】
従って、必要とされるものは、フレーム動き補償が用いられるときはいつでも、取り出されるべきデータ領域の局所的性質に従って適切な補間を動的でリアルタイムに適用することができるビデオ出力（低解像度のビデオ出力を含む）のためのインテリジェントなビデオ復号化（スケーリング可能なビデオ復号化）である。又、必要とされるものは、ＳＤ解像度フレームメモリ、ＳＤ解像度復号化の複雑さを有し、且つ空間ドメインのフィルタリングを有しないそのようなインテリジェントなビデオ復号化のための復号化システムである。本発明は、減小解像度動き補償についての適切な補間のための復号化システム及び方法を含む種々の実施形態により、従来の復号化システム及び方法について上述した問題点を解決することができる。
【０００８】
本発明は独立請求項により定義される。それら独立請求項は好適な実施形態を規定する。
【０００９】
本発明は、ビデオデータストリームにおける基準フレームデータ領域の適当な局所的性質を決定し、次いで、基準フレームデータ領域の決定された適当な局所的性質に従って基準フレームデータ領域に適切な補間を適用することにより、入力されたデジタルビデオデータストリームを復号化するために動き補償を利用する何れかの方法を実際に実行し、その恩恵を受けることができる。例えば、本発明の実施形態に従ったビデオデータストリームに動き補償についての適切な補間を適用するための方法は、次の４つの段階の何れかを含むことができる。１つの段階は、フィールド動き補償又はフレーム動き補償を用いてビデオデータストリームが符号化されるかどうかを決定するためにビデオデータストリームを評価する手順から構成される。他の段階は、フィールド動き補償を用いてビデオデータストリームが符号化される場合、ビデオデータストリームにフィールドベースの補間を適用する手順から構成される。更に他の段階は、ビデオデータストリームにおける基準フレームデータ領域の適当な局所的性質を決定する手順から構成され、これにより、基準フレームデータ領域の適当な局所的性質を決定することを試みるために復号化された動きベクトルの垂直成分を利用することにより実行されることが可能であり、且つ動的でリアルタイムに実行されることが可能である。更に他の段階は、基準フレームデータ領域の決定された適当な局所的性質に従って基準フレームデータ領域に適切な補間（フレームベースの補間又はフィールドべースの補間）を適用する段階から構成され、この段階により動的でリアルタイムになされることが可能である。これらの段階のうち後半の２つは、フレーム動き補償を用いて符号化されるビデオデータストリームにおいて条件付けすることが可能である。更に、本方法は、ビデオデータストリームに減小解像度動き補償のための適切な補間を適用するためのものとすることが可能である。
【００１０】
本発明は又、ビデオデータストリームにおける基準フレームデータ領域の適当な局所的性質を決定し且つ次に基準フレームデータ領域の決定された適当な局所的性質に従って基準フレームデータ領域に適切な補間を適用するように適応される動き補償予測器を提供することにより、入力されたデジタルビデオデータストリームを復号化するために動き補償を利用するいずれかの復号化システムを実際に実行し且つそれから恩恵を受けることが可能である。例えば、本発明の実施形態に従ってビデオデータストリームに減小解像度動き補償のための適切な補間を適用するための復号化システムは、スケールダウンされた動きベクトルにより減小解像度基準フレームデータ領域を検索するために動き補償予測器を含むことができる。動き補償予測器は、動的な動き補償予測器とすることでき、フィールド動き補償又はフレーム動き補償を用いてビデオデータストリームが符号化されたかどうかを決定するためにビデオデータストリームを評価するように適応されることができる。動き補償予測器は又、フィールド動き補償を用いてビデオデータストリームが符号化された場合、次いでビデオデータストリームにフィールドベースの補間を適用するように適応されることができる。動き補償予測器は又、ビデオデータストリームにおける基準フレームデータ領域の適当な局所的性質を決定するように適応されることができ、これにより、基準フレームデータ領域の適当な局所的性質を決定することを試みるために動きベクトルの垂直成分を利用する動き補償予測器により且つ動的でリアルタイムになされることができる。動き補償予測器は又、基準フレームデータ領域の決定された適当な局所的性質に従って基準フレームデータ領域にフレームベースの補間又はフィールドベースの補間を更に適用するように適応されることができ、これにより同的でリアルタイムになされることができる。これら後半の２つの動き補償予測器の可能な適応は、フレーム動き補償を用いて符号化されるビデオデータに条件付けすることが可能である。
【００１１】
本発明の有利点は、基準フレームデータ領域の決定された適当な局所的性質に従って動的でリアルタイムにフレームベースの補償又はフィールドベースの補償を適用できることである。従って、本発明は、オフラインで１つの補間モードのみを選択し且つ全てのフレーム動き補償ブロックに盲目的にそれを適用する従来の復号化方法及びシステムの問題点を回避することができる。具体的には、本発明は、インターレースされた動領域における間違ったフィールドを取り出すことを回避でき、そして最大範囲に対するプログレッシブ静領域においてぼやけ及びエイリアジングを回避できる。
【００１２】
本発明の上述の及び他の特徴及び優位性は、以下に本発明の実施形態の更に詳しい説明を添付図面を参照して行うことにより、明らかになるであろう。
【発明を実施するための最良の形態】
【００１３】
本発明は、ビデオデータストリームに動き補償のために適切な保管を適用するための復号化システム及び方法に関し、ＭＰＥＧ技術を具現化することができる。ＭＰＥＧ技術についてよく知らないひとは、ＭＰＥＧのような符号化／復号化プロセスの詳細な説明についての参照により開示に含まれる米国特許第５，１２２，８７５号明細書を参照されたい。
【００１４】
本発明の実施形態に従ったビデオデータストリームに動き補償のための適切な補間を適用するための方法２００は、次のような４つの段階の何れかを含むことが可能である。第１には、フィールド動き補償又はフレーム動き補償を用いてビデオデータストリームが符号化されたかどうかを確定するためにビデオデータストリームを評価する段階。第２には、フィールド動き補償を用いてビデオデータストリームが符号化された場合、ビデオデータストリームにフィールドベースの補間を適用する段階。第３には、ビデオデータストリームにおける基準フレームデータ領域の適当な局所的性質を決定する段階であって、リアルタイムに動的になされることが可能であり、基準フレームデータ領域の適当な局所的性質を決定することを試みるように復号化動きベクトルの垂直成分を用いることによりなされることが可能である段階。第４には、基準フレームデータ領域の決定された適当な局所的性質に従って基準フレームデータ領域に適切な補間（フレームベースの補間又はフィールドベースの補間）を適用する段階であって、リアルタイムに動的になされることが可能である段階。後半の２つの段階は、フレーム動き補償を用いて符号化されたビデオデータストリームに条件付けすることが可能である。更に、本発明の方法は、ビデオデータストリームに減小解像度動き補償のために適切な補間を適用するためのものとすることが可能である。
【００１５】
この方法は又、入力されたデジタルビデオデータストリームに、リアルタイムで動的に反応し且つ適用することができる。即ち、フィールドベースの補間及びフレームベースの補間は有利点と不利点をもっており、それ故、この方法は、どれが特定の入力されたデジタルビデオデータストリームについて最もよく機能するかを、リアルタイムで動的に決定することができる。このように、オフラインで１つの補間モードのみ（フィールドベース又はフレームベース）を選択し、全体的なピクチャに盲目的に適用し、それにより、ぼけ、エイリアジング及び一般的に劣化したピクチャのような問題を生じさせる既存の復号化方法とは対照的に、リアルタイムで動的にこの方法を実行することはよりよい出力ビデオ品質をもたらす。
【００１６】
第１段階は、フィールド動き補償又はフレーム動き補償を用いてビデオデータストリームが符号化されるかどうか、即ち、動き補償がトップフィールドとボトムフィールドが互いに混合したものを用いてデータを取り出すか又はトップフィールドとボトムフィールドから別々にデータを取り出すかどうかを決定するために、ビデオデータストリームを評価する手順を含む。第２段階は、フィールド動き補償を用いてビデオデータストリームが符号化される場合、ビデオデータストリームにフィールドベースの補間を適用する手順から構成される。符号化プロセスがフレーム動き補償を用いることが決定される場合、符号化プロセスは、フレームベースの補間又はフィールドベースの補間のどちらかを用いるためにオプションを有している。このオプションに関連して、第２段階は又、基準フレームデータ領域を取り出すために復号化するように決定された符号化が、例えば、画素位置からはじまるのか又は非画素位置からはじまるのかを決定することができる。
【００１７】
しかしながら、既存の復号化方法は、取り出すための基準フレームデータ領域はプログレッシブデータを含むのか又は補間されたデータを含むのかを、局所的に決定することができないため、このオプションを用いることができない。従って、既存の復号化方法はオフラインで１つの補間モード（フィールドベース又はフレームベース）を選択せざるを得ず、フレーム動き補償ブロック全てに対して盲目的にその補間モードのみを適用することが予めプログラムされる。既存の復号化方法とは対照的に、上述の後半の段階は（以下で更に詳しく説明するように）リアルタイムで動的に実施されることが可能である。
【００１８】
第３段階は、ビデオデータストリームにおける基準フレームデータ領域の適当な局所的性質を、基準フレームが減小解像度であるか又はそうでないのかを決定する手順を含む。この段階は又、ビデオデータストリームにおける基準フレームデータ領域の適当な局所的性質を決定することを試みるための復号化動きベクトルの垂直成分を利用する手順を含む。その方法は減小解像度の動き補償についての適切な補間のための方法であるため、この段階は又、ビデオデータストリームにおける減小解像度基準フレームデータ領域の適当な局所的性質を決定するために動きベクトルの垂直成分を用いる手順から構成される。動きベクトルは２つの成分、即ち垂直成分と水平成分とをもっている。補間は垂直方向においてのみ起こり、水平方向においては、トップフィールドからボトムフィールドに及ぶ１つのラインの画素が必ずある。従って、動きベクトルの垂直成分が、全部出ないまでも、何らかのデータ領域（例えば、静止しているか又は動いているかのどちらか）の局所的特徴／性質を示すことがあるので、この段階は動きベクトルの垂直成分を用いることができる。
【００１９】
第４段階は、基準フレームデータ領域の決定された適当な局所的性質に従って基準フレームデータ領域に適切な補間（フレームベースの補間又はフィールドベースの補間）を適用する手順を含む。この方法は減小解像度の動き補償についての適切な補間のための方法であるため、この段階は又、フレーム動き補償を用いてビデオデータストリームが符号化される場合に、減小解像度基準フレームデータ領域の決定された適当な局所的性質に従って、減小解像度フレームデータ領域にフレームベースの補間又はフィールドベースの補間を適用する手順から構成される。
【００２０】
具体的には、インターレースされたフレームは、異なる時間のシーンのスナップショットとなるトップフィールドとボトムフィールドとから構成される。符号化プロセスはフレームをマクロブロックに分割するため、マクロブロックはトップフィールドとボトムフィールドとから構成され、即ち、マクロブロックは符号化されたフレームベース（共に混合された）又はフィールドベース（分離された）ものとすることが可能である。シーンの中に動いている対象物がある場合、トップフィールドにおける対象物の位置はボトムフィールドにおける場合とは異なり、対象物のエッジは、位置が異なっているため、アピアランスとしてはのこぎりの歯のようにみえる。しかしながら、動いている対象物がない（シーンにおける静止対象物）場合、インターレースされるピクチャは、動いている領域においてのみエッジのアピアランスがのこぎりの歯のようにみえるので、プログレッシブピクチャと同じになる。従って、インターレースされたデジタルビデオデータストリームにおいては、ピクチャの異なる部分は異なる局所的特性／性質をもつ。このように、第３段階は取り出されるべきデータ領域の局所的性質を示す動きベクトルの垂直成分を利用することができるため、第４段階は、取り出されるべき基準フレームデータ領域の決定された局所的性質に従って、適切な補間モードを適用することができる。
【００２１】
例えば、符号化はフレーム動き補償を用い、それ故、復号化はフレームベースの補間又はフィールドベースの補間のどちらかを用いるためのオプションを持っている場合、及び、動きベクトルの垂直成分を用いること又はそうでないことのどちらかにより、インターレースされたビデオデータストリームから取り出されるべき基準フレームデータ領域の適当な局所的性質が適当に静止していて適当に動いていないことを決定する場合、第４段階はフレームベースの補間を適用することを適応できるように決定することができる。動き補償によるこのような動的な決定は、フィールドベースの補間を盲目的に適用することにより引き起こされるプログレッシブな静止領域にぼやけとエイリアジングの問題をもたらし且つ拡大することを防止する。従って、確実に決定することができない場合、動きベクトルの垂直成分を利用すること又はそうでないことのどちらかにより、インターレースされたビデオデータストリームから取り出されるべき基準フレームデータ領域の局所的性質が適当に静止していて適当に動かないことを確実に決定することができる場合、第４段階はフィールドベースの補間を適用することを適合するように決定することができる。
【００２２】
更に図を用いて説明することにより、本発明の方法を動きベクトルのタイプについて説明することができる。即ち、フレーム動き補償を用いてビデオデータストリームが符号化されることを第１段階が決定する場合、第３段階は、動きベクトルのタイプ（即ち、基準フレームデータ領域の適当な局所的性質）を決定する動きベクトルの垂直成分を用いる手順を含むことができ、第４段階は決定された動きベクトルのタイプ（即ち、基準フレームデータ領域の決定された適当な局所的性質）に従ってフレームベースの補間又はフィールドベースの補間を適用する手順を含むことができる。次の表は、減小解像度の動き補償と最大解像度の動き補償の両方における動きベクトルのタイプについての分類表の例である。
【００２３】
【表１】
2004527959.tif 000003
減小解像度の動き補償における動きベクトルは、それらの非整数部分に従って、Ｔ１乃至Ｔ５の５タイプに分類される。これに対して、最大解像度の動き補償における動きベクトルは、ｍｏｄ２の後のそれらの残りに従って、分類される。減小解像度の動き補償における動きベクトルは大きさが半分であるが、最大解像度の動き補償における動きベクトルに比較して精度は２倍である。この表は、水平寸法と垂直寸法においてデシメーション／スケーリング係数として２を用いているが、本発明においては係数を２に限定するものではない。本発明においては、例えば４又は８のような、種々のデシメーション係数を用いることが可能である。このテーブルにおいて示された各々の動きベクトルについて用いられる補間モードについては、一般に、動きベクトルのタイプは、領域が動いているか静止しているかのどちらかを示し、その示されていることから、適切な補間が適切に決定され且つ適用される。
【００２４】
図２は、上で示した表の特定に動きベクトルのタイプ（ＭｖＴ）について、減小解像度基準に到達するための２つの方法を比較して示している。減小解像度基準に到達する第１の方法（図２のコラムＩに示す）は減小解像度基準フレームに直接ＭＣを行うことである。最大解像度のフレームが利用可能である場合、減小解像度基準に到達する第２の方法は、先ず最大解像度のＭＣ（補間を伴って）を行い、次いで減小解像度にその結果をダウンスケールすることである。最大解像度基準フレームが一般に利用可能ではないため、減小解像度基準に到達するこのような第２の方法は一般に用いられていない。それにも拘らず、減小解像度基準に到達するこのような第２の方法は制御として有用である。その結果は、減小解像度基準フレームに直接ＭＣ（補間を伴って）を行うことから得られる最終的な結果に適合する筈である。具体的には、図２において、黒い楕円は最大解像度基準からのトップフィールド（動領域において）における画素データを表している一方、白い楕円は最大解像度の最大解像度基準からのボトムフィールドにおける画素データを表す。グレーの楕円は最大解像度において（必要に応じて補間された後）取り出された画素データを表している。黒い長方形は減小解像度基準からのトップフィールド（動領域において）における画素データを表す一方、白い長方形は減小解像度基準からのトップフィールド（動領域において）における画素を現している。グレーの長方形は減小解像度において取り出された（必要に応じて補間されたあと）画素データを表している。矢印は補間を表している。矢印が指す特定の画素は、特定の矢印がはじまる画素を用いて、補間される。
【００２５】
ここで、ｄｙの定義のために上で示した表を、動きベクトルのタイプの特定の説明のために図２を参照する。動きベクトルのタイプＴ１（図２においては扱っていない）については、最大解像度におけるｄｙは０であり、減小解像度におけるｄｙは０である（即ち、スケーリング後、動きベクトルは偶数の整数である（スケーリング後、動きベクトルが奇数の整数であるタイプ５とこれを比較されたい））。従って、動きベクトルは整数／画素位置を指しているため補間は必要とされず、符号化はその画素位置からはじまる基準フレームデータ領域を取り出すように復号化するために決定される（そのような位置に画素はないため、補間は非整数位置における画素値を得るためのみに必要とされる）。換言すれば、動きベクトルのタイプＴ１はトップフィールドからはじまる減小解像度領域を指し、このとき、正しいフィールドの順序（トップ、ボトム）を伴っている。しかしながら、取り出されるべきデータ領域の局所的性質について信頼できるインディケーションがない（即ち、基準フレームデータ領域の適当な局所的性質が静領域を含むことの信頼できる決定がない）。それにも拘らず、データ領域は正しいフィールド順で取り出されるため、悪影響を伴わずにフレームベースの補間は適用されることができる（この場合、データは直接取り出されることができる）。
【００２６】
一般に、Ｔ２乃至Ｔ４の動きベクトルタイプについて、復号化は非画素位置から始まる減小解像度の基準フレームデータ領域を取り出す（例えば、タイプＴ３において、動きベクトルは最大解像度においては整数であり、画素位置からはじまるデータ領域を指すが、スケーリングにより、画素位置は非画素位置になる）。一般に、タイプＴ２乃至Ｔ４については、最大解像度の動きベクトルは、取り出されるべき領域の局所的性質は適当に静的であり、それ故、フレームベースの補間が用いられるべきであることを示している。具体的には、動きベクトルタイプＴ２（最大解像度におけるｄｙは１／２であり、減小解像度のｄｙは１／４である）について、最大解像度における動き補償は、静領域が示されるようなフィールド間の補間を必要とする。換言すれば、最大解像度の動きベクトルは１／２であり、このことは、符号化が１／２画素位置（即ち、非画素位置であって、そこには実際にはデータがない）においてデータを取り出すように復号化を求める決定を行うことを示している。それは、復号化が、垂直方向において隣接画素を用いて、補間／評価を行わなければならないことを意味し、このことは、符号化プロセスがそのような補間をするために復号化システムを要求するため、この領域は静領域である可能性が大きいことを示している。動領域が示された場合、符号化プロセスがそのような補間を要求することはあまりありそうもない。それ故、フレームベースの補間は、減小解像度における動き補償のための選択をなるべきである。動きベクトルタイプＴ３（最大解像度におけるｄｙは１であり且つ減小解像度におけるｄｙは１／２である）について、最大解像度における動き補償は逆のフィールド順でデータを取り出す。このような領域は補間されるようには考えられない。そうでなければ、間違ったフィールドが大きな違いをもたらし、それ故、現マクロブロックの適切な評価が得られない。繰り返すが、フレームベースの補間は、減小解像度における動き補償のために用いられることが必要である。動きベクトルタイプＴ４（最大解像度におけるｄｙは１１／２であり且つ減小解像度におけるｄｙは３／４である）については、図２では扱っていないが、上述の動きベクトルタイプＴ２についてのように、最大解像度における動き補償は、静／プログレッシブ領域が示されるとき、フィールド間の補間を必要とする。従って、フレームベースの補間は、減小解像度における動き補償についての選択の対象とする必要がある。
【００２７】
上の表においてそして図２において再び示した問題のある場合は、最大解像度におけるｄｙが２であり且つ減小解像度におけるｄｙが１である、動きベクトルタイプＴ５である（即ち、動きベクトルは、スケーリング後、奇数の整数になる（スケーリング後、動きベクトルが偶数の整数になるタイプＴ１と比較されたい））。最大解像度における動き補償はオリジナルのフィールド順でデータを取り出し、減小解像度における動き補償は逆フィールド順でデータを取り出し、動きベクトルタイプＴ５はボトムフィールドからはじまる、即ち、逆フィールド順（ボトム、トップ）の領域を指す。この場合、最大解像度における動きベクトルは、取り出されるべき領域の局所的性質について何も示さない。それは静領域を示さないか又はその表示は信頼できるものではない。その領域は動的／インターレースされたものとすることが可能であるため、減小解像度における逆フィールド順でデータを取り出すことは危険であるので、この場合の逆フィールド順の適用は悪影響を及ぼすであろう。同じ側で機能するためには、フィールドベースの補間が、正しいフィールド順でデータを得るために用いられる必要がある。換言すれば、動きベクトルは整数の画素位置を指し、これは、補間が必要とされないことを本来であれば示すが、垂直成分を１とする動きベクトルにより指し示されるデータを取り出すことによっているので、動きベクトルにより指し示される画素のデータ／値は取り出され且つ用いられる必要はなく、データはボトムフィールドからはじまり（即ち、逆フィールド順によるデータ）、取り出されるであろう。この特定な状況の代わりに、他のフィールドにおける整数の位置に対応する画素値を得るために各々のフィールドにおいて補間をする必要がある。このスキームは静／プログレッシブ領域については良好である（即ち、補間は常にデータを歪め且つ補間が適用されるときはいつでもデータの情報について損失があるため、フレームベースの動き補償を行い且つ何れかの補間を伴わないでデータを取り出すことはより好ましい）が、動／インターレースされた領域について少なくとも良好な処理を保証することは簡単な方法である。
【００２８】
このように、上の表及び図２に従うと、本発明は、動きベクトルのタイプを決定するために動きベクトルの垂直成分即ち、データ領域の局所的性質）を利用することができるため、動きベクトルのタイプＴ１乃至Ｔ４の補間は盲目的に適用されない。しかしながら、既存の復号化方法及びシステムにおいて、補間は、動きベクトルのそれぞれのタイプのために、しばしばオフラインで盲目的に適用され、これにより、ブラックネス（フレームベースの補間が適用される場合）、又はぼやけ及びエイリアジング（フィールドベースの補間が適用される場合）が結果的にもたらされる。
【００２９】
基準フレームデータ領域を取り出すための動き補償或いは減小解像度動き補償、及び／又はデータ領域を取り出すための動きベクトル或いはスケールダウンされた動きベクトルを必要とする、何れかの復号化システム、即ちＭＰＥＧ（例えば、ＭＰＥＧ−２）或いはその他のシステムにより、実際には、本発明の方法を用いることができる。このように、本発明は、入力されたデジタルビデオデータストリームを復号化するために動き補償又は減小解像度動き補償のための補間を適用する何れかの復号化を実際に補足し、恩恵を受ける。
【００３０】
一般に、本発明は、ビデオデータストリームに動き補正又は減小解像度動き補正のための適切な保管を適用するための新規で特殊な復号化システムから構成される。本発明の復号化システムは、ビデオデータストリームに基準フレームデータ領域の適当な局所的性質を決定するために適合される動き補償予測器を提供することにより動き補償をエンハンスし、次いで、決定された基準フレームデータ領域の適当な局所的性質に従って基準フレームデータ領域に適切な補間を適用する。更に、動き補償予測器は、入力されたデジタルビデオデータストリームにオンラインで適応し、特定の入力されたデジタルビデオデータストリームのために最もよく機能する補間モード（フィールドベースの補間及びフレームベースの補間）を動的でリアルタイムに決定して適用する。これは、オフラインで１つの補間モードのみを選択し、全体的なピクチャに盲目的にそれを適用し、それによって、ぼやけ、エイリアジング及び一般的に品質の悪いピクチャ等の問題点を生み出す。
【００３１】
フィールド動き補償又はフレーム動き補償を用いてビデオデータストリームが符号化されるかどうか、即ち、動き補償が互いに混合されたトップフィールド及びボトムフィールドを用いて又はトップフィールド及びボトムフィールドから分離してデータをとり出せるかどうか、を決定してビデオデータストリームを評価するために、本発明の復号化システムのそのような動き補償予測器を適応させることが可能である。フィールド動き補償を用いてビデオデータストリームが符号化される場合、ビデオデータストリームにフィールドベースの補間を適用するために、動き補償予測器を適応させることができる。符号化がフレーム動き補償を用いたことを動き補償予測器が決定する場合、フレームベースの補償又はフィールドベースの補償のどちらかを適用するためのオプションを有する。このオプションに関連して、又、例えば、画素位置又は非画素位置からはじまる基準フレームデータ領域を取り出すことを符号化が決定したかどうかを決定するために、動き補償予測器を適応させることができる。しかしながら、既存の復号化システムは、基準フレームデータ領域が取り出すために静止画像データ又は動画像データを含むかどうかを局所的に決定することはできないので、このようなオプションを用いることはできない。それ故、既存の復号化システムは、オフラインで１つの補間（フィールドベース又はフレームベース）モードを選択することを強いられ、全てのフレーム動き補償ブロックに盲目的にその補間モードのみを適用するために予めプログラムされる。
【００３２】
既存の復号化システムとは対照的に、ビデオデータストリームにおける基準フレームデータ領域の局所的性質について、参照フレームが減小解像度状態にあるか否かを、動的でリアルタイムに決定するために、本発明の復号化システムの動き補償予測器を適応させることができる。これは又、ビデオデータストリームにおける基準フレームデータ領域の適当な局所的性質を決定することを試みる復号化された動きベクトルの垂直成分を利用することを含む。本発明の復号化システムは、減小解像度の動き補償のための適切な補間のためのものとすることができるため、ビデオデータストリームにおける減小解像度の基準フレームデータ領域の適当な局所的性質を決定する動きベクトルの垂直成分を利用することを含む。繰り返すが、既存の復号化システムとは対照的に、基準フレームデータ領域の決定された適当な局所的性質に従って基準フレームデータ領域に適切な補間（フレームベースの補間又はフィールドベースの補間）を動的でリアルタイムに適用するために、本発明の動き補償予測器を適応させることができる。本発明の復号化システムは、減小解像度の動き補償のための適切な補間のためのものとすることができるため、ビデオデータストリームがフレーム動き補償を用いて符号化される場合、減小解像度の基準フレームデータ領域の決定された局所的性質に従った減小解像度の基準フレームデータ領域にフレームベースの補間又はフィールドベースの補間を適用することを又含む。
【００３３】
例えば、符号化がフレーム動き補償を用い、それ故、本発明の復号化システムの動き補償予測器がフレームベースの補間又はフィールドベースの補間のどちらかを用いるためにオプションを有している場合、及び、動きベクトルの垂直成分を利用すること又はそうでないことにより、インターレースされたビデオデータストリームから取り出されるべき基準フレームデータ領域の適当な局所的性質が適当に静的であって適当に動的でないかどうかを動き補償予測器が決定する場合、動き補償予測器はフレームベースの補償を適用することを適応するように決定することができる。動き補償予測器によるこのような動的決定は、フィールドベースの補間を盲目的に適用することにより引き起こされるプログレッシブ静領域におけるぼやけ及びエイリアジングの問題を加えて拡大することを防ぐ。従って、動き補償予測器が、動きベクトルの垂直成分を利用すること又はそうでないことにより、インターレースされたビデオデータストリームから取り出されるべき基準フレームデータ領域の適当な局所的性質が適当に静的であって適当に動的でないどうかを動き補償予測器が決定する場合、動き補償予測器はフレームベースの補償を適用することを適応するように決定することができる。
【００３４】
一般に図３を参照するに、本発明の実施形態に従ってビデオデータストリームに減小解像度の動き補償のために適切な補間を適用するための復号化システム５００を示している。復号化システム５００は、ＭＰＥＧ−２復号化システムのようなＭＰＥＧ復号化システムとすることができる。復号化システム５００は、スケールダウンされた動きベクトルにより、減小解像度の基準フレームデータ領域を検索するために動的動き補償（ＤＭＣ：Dynamic Motion Compensation）予測器５５０を含むことができる。フィールド動き補償又はフレーム動き補償を用いてビデオデータストリームが符号化されるかどうかを決定するために、ビデオデータストリームを評価するように、動的動き補償予測器５５０を適応させることができる。又、ビデオデータストリームがフィールド動き補償を用いて符号化された場合、ビデオデータストリームにフィールドバースの補償をこのとき適用するために、動的動き補償予測器５５０を適応させることができる。又、ビデオデータストリームにおける基準フレームデータ領域の適当な局所的性質を決定するために動的動き補償予測器５５０を適応させることができるが、このことは、基準フレームデータ領域の適当な局所的性質を決定することを試みるために動きベクトルの垂直成分を利用する動的動き補償予測器５５０によりなされることが可能であり、且つ動的でリアルタイムになされることが可能である。動的動き補償予測器５５０は又、決定された基準フレームデータ領域の局所的性質に従って基準データ領域にフレームベースの補償又はフィールドベースの補償をこのとき適用するために適応され、動的でリアルタイムに行われることが可能である。これらの最後の２つの動的動き補償予測器５５０の可能な適応する場合に、フレーム動き補償を用いて符号化されるビデオデータストリームに関して条件付けすることが可能である。
【００３５】
更に具体的に図３を参照するに、復号化システム５００についての以下の説明においては、水平方向の寸法及び垂直方向の寸法においてデシメーション／スケーリング係数として２を用いるが、本発明においては係数を２に限定するものではない。本発明においては、例えば４又は８のような、種々のデシメーション係数を用いることが可能である。図３に示すように、復号化システム５００は、可変長デコーダ（ＶＬＤ）５１０、逆走査逆量子化（ＩＳＩＱ：Inverse Scan Inverse Quantization）装置５１５、周波数ドメインフィルタリング及びスケーリング（Ｆ＆Ｓ）装置５２０及び逆離散コサイン変換（ＩＤＣＴ：Inverse Discrete Cosine Transfer）装置５２５を含む組み込まれたサイズ変更のための復号化ループを含むことができる。復号化システム５００は又、加算器５３０、メモリ（ＭＥＭ）装置５３５、ダウンスケーリング（ＤＳ）装置５４５及び動的動き補償（ＭＣ）予測器５５０を含むことができる。
【００３６】
図３における復号化システム５００の復号化ループは、メモリ５３５のサイズの減小及びＩＤＣＴ装置５２５の演算の複雑さの低減を実現するように入力されたインターレースされたデジタルビデオデータストリームを処理するために配置されている。具体的には、デジタルビデオデータストリームはＶＬＤ５１０に入力され、ＶＬＤ５１０はデジタルビデオデータストリームからデータを引き出す。ＶＬＤ５１０は、必要に応じて、可変長復号化、逆ラン長復号化及び逆ＤＰＣＭコーディングを実行することが可能である。画像領域の空間周波数スペクトルを現す送信ＤＣＴ係数は、それぞれのＤＣＴ係数を逆量子化するため及び画素データのマトリクスにそれらの係数を変換するためにＩＳＩＱ装置５１５を通過する。そのとき、ＤＣＴ係数は、フィルタリングおよびスケーリング装置５２０によりＩＤＣＴ装置５２５の前にフィルタリングされ且つ縮小／ダウンスケーリングされる。周波数ドメインにおけるフィルタリングおよびスケーリングにより減小されたサイズ（４ｘ４）のＩＤＣＴ５２５が結果的に得られる。フィルタリング及びスケーリング装置５２０から、ＩＤＣＴ装置５２５は、送信された係数の８ｘ８のマトリクスから導き出される係数の４ｘ４マトリクスを供給される。ＩＤＣＴ５２５は、入力係数の４ｘ４マトリクスからの出力値の４ｘ４マトリクスを演算するために配置されている。これは、ＩＤＣＴ装置５２５における著しいハードウェアの節約に移行させることができると同時に、ＩＤＣＴ装置５２５の必要な動作速度を低くさせる。次いで、ＩＤＣＴ装置５２５は、加算器５３０の最初の入力に画素値（出力）のダウンスケールされたブロックを提供する。結局、以下に更に詳しく説明するように、加算器５３０は再構成された基準フレーム（次のフレームの予測のためのアンカーとして用いられる）を生成し、減小解像度でメモリ装置５３５にそれらを記憶する。
このように、図３の複合化システム５００を用いる本発明を利用する１つの有利点は、ＳＤ解像度フレームメモリとＳＤ解像度複合化の複雑さをもち、空間ドメインフィルタリングをもたないことである。具体的には、図５の複合化システムにおいて、周波数ドメインフィルタリング及びスケーリング装置５２０を用いるリサイジングは、メモリと演算の両方を節約するために複合化ループの中に組み込まれる。換言すれば、ＩＤＣＴ装置５２５は縮小サイズ（４ｘ４）において機能し、縮小サイズにおけるデータブロックを直接出力することが好ましい。従って、ＤＣＴブロックフィルタリング及びダウンスケーリングの両方は、更に演算を節約するために、ＩＤＣＴ装置５２５の前に、周波数ドメインフィルタリング及びスケーリング装置５２０によりなされる。この低解像度ＩＤＣＴからの節約は、ＤＣＴ係数をフィルタリングし且つダウンスケーリングするために必要とされる付加的な演算より重要である。
【００３７】
再び図３を参照するに、ＶＬＤ５１０から複合化された動きベクトル（ＭＶ）５４０はオリジナルサイズの最大解像度のピクチャに対応し（即ち、出力された動きベクトル５４０は、画素（整数）位置か又は１／２画素位置のどちらかである最大解像度動きベクトルである）、減小解像度の基準フレームにおいて適合するためにダウンサイズされる必要がある。換言すれば、空間（画素）位置の精度を保つために、動きベクトル５４０は、ダウンスケーリング装置５４５によりそれらのオリジナルの半分の画素精度から四半分の画素精度にスケールダウンされ（切り詰めるというより）、これにより、四半分の画素精度の動き補償を必要とする。
【００３８】
本発明に従って、動的動き補償予測器５５０は、符号化により用いられる動き補償を決定するために、動的でリアルタイムにビデオデータストリームを評価できる。符号化がフィールド動き補償を用いた場合、動的動き補償予測器５５０はフィールドベースの補間を適用する。しかしながら、フレーム動き補償を用いた符号化プロセスを提供することにより、動的動き補償予測器５５０はフレームベースの補間又はフィールドベースの補間のどちらかを適用するというオプションをもつ。動的動き補償予測器５５０は、次いで、メモリ装置５３５に記憶された減小解像度基準フレームのデータ領域の適当な局所的性質を決定することを試みるために最大解像度動きベクトル５４０（減小解像度において適合するためにここでスケールダウンされた）の垂直成分を動的でリアルタイムに利用することができる。次いで、動的動き補償予測器５５０は、減小解像度フレームデータ領域の決定された適当な局所的性質に従って適切な補間（フィールドベースの補間又はフレームベースの補間）を動的でリアルタイムに適用することができる。一旦、動的動き補償予測器５５０が、メモリ装置５３５に記憶された減小解像度基準フレームからスケールダウンされた動きベクトル５４０により減小解像度基準フレームデータ領域を検索すると、動的動き補償予測器５５０は、取り出された減小解像度基準フレームデータ領域（出力）を加算器の第２入力に適用する。加算器は、次いで、フレームを再構成するために、ＩＤＣＴ装置５２５と動的動き補償予測器５５０の出力を合計する。一旦、再構成されると、加算器５３０により生成された再構成済み減小解像度基準フレームのために２つの経路が得られ、それらのうち１つの経路は出力に直接繋がり、１つは動的動き補償予測器５５０に接続するメモリ装置５３５に繋がる。
【００３９】
このように、図３の復号化システム５００を用いる本発明を利用することの他の有利点は、復号化システム５００の動的動き補償予測器５５０が、動的でリアルタイムに、符号化プロセスにより余地いられる動き補償を決定するためにビデオデータストリームを評価でき、減小解像度基準フレームデータ領域の局所的性質を決定することを試みるために最大解像度で動きベクトル５４０の垂直成分を利用でき、並びに、符号化プロセスがフレーム動き補償を用いる場合に現象解像度フレームデータ領域の決定された局所的性質に従って適切な補間を適用することができることである。これはよりよい出力のビデオ品質を結果的にもたらし、これにより、ブラックネス（blackness）、ぼやけ、エイリアジング及び一般的な低品位のピクチャ等の問題を解消するが、このことは、１つの補間モード（フィールドベース又はフレームベース）のみを選択し、全てのフレーム動き補償ブロックに盲目的にそれを適用する既存の復号化システムとは対照的である。
【００４０】
本発明は実施形態に参照文献を特別に示して説明したが、本発明の範囲を逸脱することなく、方式及び詳細における種々の変形をなし得ることを当業者は理解するであろう。従って、別に特定していなくとも、図面又は以上の説明において開示した本発明に従った復号化システムの何れかの構成要素は可能な構成要素の例として与えられ、且つそれらに限定されるものではない。同様に、別に特定していなくとも、図面又は以上の説明において示した本発明の方法の段階又は段階のシーケンスは可能な段階及び可能な段階のシーケンスの例として与えられ、且つそれらに限定されるものではない。請求項におけるカッコ内の参照符号は、請求項を限定するものとして解釈されるものではない。用語“から構成される”は請求項に挙げたもの以外の構成要素又は段階の存在を排除するものではない。本発明は、いくつかの区別可能な構成要素から構成されるハードウェア及び適切にプログラムされたコンピュータにより実行されることができる。装置請求項においていくつかの手段を列挙しているが、それら手段のいくつかはハードウェアの同じアイテムを個別に組み込まれることが可能である。互いに異なる独立請求項に挙げられた特定の手段は、それら手段の組み合わせが有利に用いられることが可能でないことを示すものではない。
【図面の簡単な説明】
【００４１】
【図１】フィールド動き補償及びフレーム動き補償を示す図である。
【図２】動きベクトルのタイプのために用いられる補間を示す図である。
【図３】本発明の実施形態に従った減小解像度動き補償についての適切な補間のための復号化システムを示すフロー図である。
【国際公開パンフレット】
2004527959.tif 000004
2004527959.tif 000005
2004527959.tif 000006
2004527959.tif 000007
2004527959.tif 000008
2004527959.tif 000009
2004527959.tif 000010
2004527959.tif 000011
2004527959.tif 000012
2004527959.tif 000013
2004527959.tif 000014
2004527959.tif 000015
2004527959.tif 000016
2004527959.tif 000017
2004527959.tif 000018
2004527959.tif 000019
2004527959.tif 000020
2004527959.tif 000021
2004527959.tif 000022
2004527959.tif 000023
2004527959.tif 000024
2004527959.tif 000025
2004527959.tif 000026
2004527959.tif 000027
【国際調査報告】
2004527959.tif 000028
2004527959.tif 000029
2004527959.tif 000030